(57)【特許請求の範囲】
【請求項１】
回線を通じて相手先と通信可能な親機と、この親機に接続可能な複数の子機とを備えた電話装置であって、
上記親機は、
上記相手先の発信元情報を受信する受信手段と、
上記子機と無線によって接続するとき、上記子機と共有して用いられるチャネルを決定するための決定信号を上記子機に対して複数回送る決定信号送信手段と、を備え、
上記決定信号送出手段によって送られる、上記チャネルを決定するための決定信号に上記相手先からの発信元情報を一括したブロック単位として付加して複数回送ることを特徴とする電話装置。
【請求項２】
上記各子機は、
上記転送手段によって発信元情報が転送されるとき、上記親機に対して送出するキャリアが時間的に途切れることのないようにそれを継続的に送出する送出手段をそれぞれ有する、請求項１に記載の電話装置。
【請求項３】
上記送出手段は、
上記子機が上記親機から送られる、上記相手先からの発信元情報を含んだ決定信号を受信したとき、所定時間キャリアを送出する、請求項２に記載の電話装置。
【請求項４】
上記子機は、
上記チャネルを決定するための決定信号を受信したとき、上記決定信号に付加された上記相手先からの発信元情報を抽出して表示する表示手段を有する、請求項２または３に記載の電話装置。
【請求項５】
上記相手先からの発信元情報には、上記相手先の発信元電話番号が含まれる、請求項１ないし４のいずれかに記載の電話装置。
【発明の詳細な説明】
【０００１】
【発明の属する技術分野】
本発明は、電話機親機と、それに接続可能な電話機子機とを備える電話装置に関する。
【０００２】
【従来の技術】
従来より、公衆電話回線に接続された、いわゆるコードレス電話機には、携帯可能な子機が付属されている。このような電話機においては、ナンバーディスプレイ機能として、親機の表示部に発信元の電話番号を表示するものがある。
【０００３】
最近では、子機の表示部にも、そのような発信元の電話番号を表示する電話機がある。このような電話機では、外線を通じて着信信号が親機に到達すると、親機から子機に対して、発信元情報としての相手先の電話番号や着信日付等がデータとして送られる。
【０００４】
図１０は、その場合の親機と子機とのコマンドのやり取りを示すフローシーケンス図である。たとえば、親機において、外線から電話番号の通知を含む着信信号が到達すると（Ｔ１１）、親機は、子機と無線によって接続するために、外線着信準備処理として（Ｔ１２）、通話チャネルを指定するための通話チャネル指定コマンドを子機に送る。子機は、親機から送られた通話チャネル指定コマンドを受信すると、当該通話チャネルを了解する場合、その応答として通話チャネル了解コマンドを親機に送り返す（通話了解処理、Ｓ１１）。
【０００５】
親機は、上記子機から通話チャネル了解コマンドを受け取ると、通話チャネルを決定するための通話チャネル決定コマンドを子機に送る。次いで、親機は、外線着信中処理として（Ｔ１３）、相手先の電話番号を通知する旨の通知コマンドを、子機に対して送るとともに、着信日時のデータおよび相手先の電話番号のデータを複数のコマンドに分散させて送る。
【０００６】
図１１は、電話番号のデータ等が含まれるコマンドのフレームフォーマットの一例を示す図である。ここで、図中、「Ｐ」はプレアンブル、「Ｂ」はビット同期、「Ｆ」はフレーム同期、「Ｓ」はＩＤのチェックコード、「Ａ」は子機番号、「Ｃ」はコマンドフィールド、「Ｉ」はデータフィールド、「ＦＣＳ」は子機番号、コマンドフィールド、およびデータフィールドのチェックコード、「ＥＯＦ」はフレーム終了コードをそれぞれ示す。また、各欄の数値は、ビット数を示す。
【０００７】
たとえば上記フレームフォーマットのコマンドフィールド「Ｃ」に当該コマンドの種類（この場合は、着信日時および電話番号のデータを含むコマンド）を示すデータが格納され、同じくデータフィールド「Ｉ」に着信日時および電話番号のデータが格納される。すなわち、親機は、図１０に示すように、着信日時のデータのうち「月」の値を含む日時データコマンドを子機に送り、次いで「日」の値を含む日時データコマンド、「時」の値を含む日時データコマンド、「分」の値を含む日時データコマンドをそれぞれ送る。さらに、親機は、電話番号（ダイヤル）のデータ（通常１０桁）のうち、２桁ずつを複数のダイヤルデータコマンドに分散させて送る。
【０００８】
一方、子機では、電話番号受信処理として（Ｓ１２）、上記日時データコマンドやダイヤルデータコマンドを受け取ると、表示処理として（Ｓ１３）、通常、図示しない表示部に着信日時や相手先の電話番号を表示させる。
【０００９】
【発明が解決しようとする課題】
ところが、上記したような親機と子機とのコマンドのやり取りによれば、着信日時が月、日、時および分に分散されて日時データコマンドに格納されて送られるため、少なくとも４つの日時データコマンドが必要となる。さらに、相手先の電話番号が２桁ずつダイヤルデータコマンドに格納されて送られるため、１０桁の電話番号を子機に送るためには少なくとも５つのダイヤルデータコマンドが必要となる。そのため、親機１から子機２に対して、着信日時および電話番号のデータを送るには、複数のコマンドを用いなければならず、長時間（たとえば３秒）を有することがあった。
【００１０】
そのため、親機では、外線着信した場合、相手先の電話番号が即座に表示部に表示されるが、子機では電話番号のデータの転送に長時間を有していたため、外線着信したときに電話番号が表示部に即座に表示されないことがあった。あるいは、外線着信後、親機のハンドセットが早くオフされる場合、子機では結果的に電話番号を表示させることができないといった問題点があった。
【００１１】
また、上記の方法では、着信日時および電話番号のデータをコマンドごとに分散させ、かつ各コマンドを一度だけ子機に送っているため、いずれかのコマンドの通信において伝送エラーが生じた場合には、そのコマンドに含まれるデータの部分が消失してしまい、電話番号等のデータとして不完全なデータとなってしまう。そのため、子機では、電話番号等のデータが適切に受信できず、それを表示することができないといった問題点もあった。
【００１２】
本発明は、上記の点に鑑みて提案されたものであって、回線を介して送られる相手先からの発信元情報を親機から子機に即座にかつ確実に送ることのできる電話装置を提供することを目的とする。
【００１３】
【課題を解決するための手段】
上記目的を達成するために、請求項１に記載した発明の電話装置は、回線を通じて相手先と通信可能な親機と、この親機に接続可能な複数の子機とを備えた電話装置であって、上記親機は、上記相手先の発信元情報を受信する受信手段と、上記子機と無線によって接続するとき、上記子機と共有して用いられるチャネルを決定するための決定信号を上記子機に対して複数回送る決定信号送信手段と、を備え、上記決定信号送出手段によって送られる、上記チャネルを決定するための決定信号に上記相手先からの発信元情報を一括したブロック単位として付加して複数回送ることを特徴としている。
【００１４】
このような電話装置によれば、親機は、相手先からの発信元情報、たとえば相手先の電話番号を一括したブロック単位にし、複数回にわたって子機に送る。そのため、従来のように、相手先の電話番号を複数のコマンド信号に分散させて送っていた方法に比べ、転送時間をより短縮することができる。したがって、たとえば子機の表示部に相手先の電話番号を即座に表示させることができる。また、電話番号を含むコマンド信号は子機と共有して用いられるチャネルを決定するための決定信号に一括したブロック単位として付加して複数回にわたって送られるので、たとえば伝送エラーによって子機において着信日時や電話番号のデータが受信できなくなる可能性を、大幅に低減することができる。また、相手先からの発信元情報のみを送るためのコマンド信号を新たに設けなくてもよく、相手先からの発信元情報を効率的に子機に送ることができる。
【００１５】
【００１６】
【００１７】
また、請求項２に記載した発明の電話装置は、請求項１に記載の電話装置であって、上記各子機は、上記転送手段によって発信元情報が転送されるとき、上記親機に対して送出するキャリアが時間的に途切れることのないようにそれを継続的に送出する送出手段をそれぞれ有する。
【００１８】
このような電話装置によれば、請求項１に記載の電話装置による効果に加え、各子機は、親機から発信元情報が転送されるとき、親機に対して送出されるキャリアが時間的に途切れることのないようにそれを継続的に送出するので、キャリアが送出されない時間帯をなくすことができる。そのため、親機から発信元情報が転送されるときに他の親機からコマンド信号が送出されることがない。したがって、他の親機からの妨害を防止することができる。
【００１９】
また、請求項３に記載した発明の電話装置は、請求項２に記載の電話装置であって、上記送出手段は、上記子機が上記親機から送られる、上記相手先からの発信元情報を含んだ決定信号を受信したとき、所定時間キャリアを送出する。
【００２０】
このような電話装置によれば、請求項２に記載の電話装置による効果に加え、子機は、相手先からの発信元情報を含んだ決定信号（たとえば通話チャネル決定コマンド）を受信するときに、他の子機によって時間的に途切れることのないようにキャリアが所定時間送出されるので、他の親機からの妨害がなく、正規の親機からの通話チャネル決定コマンドを確実に受信することができる。この場合、上記所定時間は、親機が決定信号を送り終えるまでの時間に設定しておけばよい。
【００２１】
また、請求項４に記載した発明の電話装置は、請求項２または３に記載の電話装置であって、上記子機は、上記チャネルを決定するための決定信号を受信したとき、上記決定信号に付加された上記相手先からの発信元情報を抽出して表示する表示手段を有する。
【００２２】
このような電話装置によれば、請求項２または３に記載の電話装置による効果に加え、ユーザは、子機において相手先からの発信元情報を確実に知ることができる。
【００２３】
また、請求項５に記載した発明の電話装置は、請求項１ないし４のいずれかに記載の電話装置であって、上記相手先からの発信元情報には、上記相手先の発信元電話番号が含まれる。
【００２４】
このような電話装置によれば、請求項１ないし４のいずれかに記載の電話装置による効果に加え、相手先からの発信元情報には、相手先の電話番号が含まれるので、いわゆるナンバーディスプレイ機能を実現することができる。
【００２５】
【発明の実施の形態】
以下、本発明の好ましい実施の形態について添付図面を参照して説明する。
【００２６】
図１は、本発明に係る電話装置の一例を示す概略ブロック構成図である。この電話装置は、ファクシミリ装置からなる親機１と、この親機１に無線によって通信可能な複数の子機２とを備えて構成されている。
【００２７】
親機１は、図示されていないが、たとえばインクジェット方式の印刷機能、画像読取機能（スキャナ機能）、および画像の通信機能等の各機能を複合的に備えたものである。親機１は、たとえばファクシミリデータを送信するときには、画像読取機能を用いて原稿を読み取り、読み取った原稿データを通信機能によって送り先に送信する。また、通信機能によってファクシミリデータを受信したときには、印刷機能を用いてファクシミリデータの内容を所定の記録用紙に印字する。なお、この親機１は、たとえばパーソナルコンピュータに接続された状態で独立した形で印刷装置やスキャナとして利用することもできる。また、印刷機能と画像読取機能とを連動させることで、コピー機として利用することもできる。
【００２８】
親機１は、ＣＰＵ１０、ＮＣＵ１１、ＲＡＭ１２、モデム１３、ＲＯＭ１４、ＮＶＲＡＭ（不揮発性ＲＡＭ：Non-Volatile RAM）１５、ゲートアレイ１６、コーデック１７およびＤＭＡＣ１８を備え、それらは、バス１９により相互に接続されている。バス１９には、アドレスバス、データバスおよび制御信号線が含まれる。また、この親機１では、ゲートアレイ１６に、読取部２１、印刷部２２、操作部２３、表示部２４および無線通信部２５が接続されて具備されている。ＮＣＵ１１には、公衆電話回線２８（以下、「外線２８」という）が接続されている。また、親機１には、図示しないマイクロフォンやスピーカを内蔵したハンドセットが接続されている。
【００２９】
ＣＰＵ１０は、親機１全体の動作を制御するものである。ＮＣＵ１１は、外線２８に接続されることにより網制御を行うものである。ＲＡＭ１２は、ＣＰＵ１０の作業領域等を提供するものである。モデム１３は、音声データやファクシミリデータの変調や復調等を行うものである。ＲＯＭ１４は、ＣＰＵ１０が実行すべきプログラム等を記憶するものである。ＮＶＲＡＭ１５は、データや各種の情報を記憶するものである。
【００３０】
ゲートアレイ１６は、ＣＰＵ１０と各部２１〜２５とのインターフェイスとして機能するものである。コーデック１７は、音声信号やファクシミリデータ等の符号化や復号化を行うものである。ＤＭＡＣ１８は、主にＲＡＭ１２へのデータの書き込みや読み出しを行うものである。
【００３１】
読取部２１は、たとえばイメージセンサ、ＬＥＤ光源、および原稿送りモータ（いずれも図示せず）等を備え、ＣＰＵ１０の制御に応じてファクシミリ原稿等からイメージ画像を読み取るものである。
【００３２】
印刷部２２は、感熱方式等により文字や図形等の画像をモノクロまたはカラーで印刷するものである。
【００３３】
操作部２３は、図２に示すように、ダイヤルキー２３Ａ、ジョグダイヤルキー２３Ｂ、およびその他の操作キー等を備え、ユーザのキー操作による入力信号をＣＰＵ１０に伝えるものである。
【００３４】
表示部２４は、同じく図２に示すように、たとえば液晶ディスプレイパネル２４Ａを備え、この液晶ディスプレイパネル２４Ａに動作状態や操作ガイダンス等を表示するものである。
【００３５】
無線通信部２５は、図示しないアンテナを備え、制御チャネルや通話チャネルを用いて各子機２との間で音声信号や各種のデータのやり取りを行う。
【００３６】
子機２は、たとえば住宅内において親機１が設置された部屋とは異なる部屋等に仮設置される。子機２は、図１に示すように、ＣＰＵ３０、ＲＡＭ３１、ＲＯＭ３２、ＮＶＲＡＭ３４、およびゲートアレイ３５等が備えられ、これらは互いにバス３６によって接続されている。このゲートアレイ３５には、操作部４１、表示部４２、および無線通信部４３が接続されている。
【００３７】
ＣＰＵ３０は、子機２の全体動作を制御するものである。ＲＡＭ３１は、ＣＰＵ３０の作業領域等を提供するものである。ＲＯＭ３２は、ＣＰＵ３０が実行すべきプログラム等を記憶するものである。ＮＶＲＡＭ３４は、データや各種の情報を記憶するものである。ゲートアレイ３５は、ＣＰＵ３０と各部４１〜４３とのインターフェースとして機能するものである。
【００３８】
操作部４１は、図３に示すように、ダイヤルキー４１Ａ、セレクトキー４１Ｂ、およびその他の操作キー等を備え、ユーザの操作に応じた入力信号をＣＰＵ３０に伝えるものである。
【００３９】
表示部４２は、同じく図３に示すように、たとえば液晶ディスプレイパネル４２Ａを備え、この液晶ディスプレイパネル４２Ａに動作状態や操作ガイダンス等を表示するものである。
【００４０】
無線通信部４３は、図示しないアンテナを備え、制御チャネルや通話チャネルを用いて親機１や他の子機２との間で音声信号や各種のデータのやり取りを行う。特に、無線通信部４３には、図３に示すように、スピーカ４３Ａおよびマイクロフォン４３Ｂが接続されている。これらにより、親機１や他の子機２との間で通話が可能なようにされている。なお、その他の子機２も同様の構成とされる。
【００４１】
次に、上記構成において、親機１と子機２との間におけるコマンドのやり取りについて、図４に示すフローシーケンス図を参照して説明する。
【００４２】
まず、外線２８を通じて送られる、相手先の電話番号を含む着信信号をＮＣＵ１１によって検出した場合（Ｔ１）、親機１は、外線着信準備処理として（Ｔ２）、子機２に対してそれと無線によって接続するためのコマンド信号を送る。すなわち、子機２と共有して用いられる通話チャネルを指定するための通話チャネル指定コマンドを子機２に送る。
【００４３】
子機２は、親機１から送られた通話チャネル指定コマンドを受信すると、当該通話チャネルを了解する場合、通話了解処理として（Ｓ１）、その応答としての通話チャネル了解コマンドを親機１に送り返す。
【００４４】
親機１は、子機２から通話チャネル了解コマンドを受け取ると、通話チャネルを決定するための通話チャネル決定コマンドを子機２に送る。親機１は、この通話チャネル決定コマンドを送出する場合、相手先の電話番号および着信日時のデータをこの通話チャネル決定コマンドに含める。具体的には、１つの通話チャネル決定コマンドに、相手先の電話番号および着信日時等のデータを一括したブロック単位として含め、かつこの通話チャネル決定コマンドをたとえば３回、連続的に送る。
【００４５】
図５は、この通話チャネル決定コマンドのフレームフォーマットの一例を示す図である。ここで、図中、「Ｐ」はプレアンブル、「Ｂ」はビット同期、「Ｆ」はフレーム同期、「Ｓ」はＩＤのチェックコード、「Ａ」は子機番号、「Ｃ」はコマンドフィールド、「Ｉ」はデータフィールド、「ＦＣＳ」は子機番号、コマンドフィールド、およびデータフィールドのチェックコード、「ＥＯＦ」はフレーム終了コード、「ＡＤＣ」は追加コマンドフィールド、「ＡＤＩ」は追加データフィールド、「ＤＡＴＡ」は追加ブロックデータフィールド、「Ｃｈｅｃｋ」は、追加コマンドフィールド、追加データフィールド、および追加ブロックデータフィールドのチェックコードをそれぞれ示す。また、各欄の数値は、ビット数を示す。
【００４６】
上記フレームフォーマットによれば、追加コマンドフィールド「ＡＤＣ」および追加データフィールド「ＡＤＩ」が一組となり、フレームフォーマットは、これが複数組備えられた構成とされている。そして、追加コマンドフィールド「ＡＤＣ」に、ナンバーディスプレイ情報を送ることを示す番号通知コマンドが格納され、追加データフィールド「ＡＤＩ」に、実際の相手先の電話番号（通常１０桁）のデータが格納される。また、追加ブロックデータフィールド「ＤＡＴＡ」に、着信日時のデータが格納される。
【００４７】
このように、上記フレームフォーマットは、１０桁の電話番号を格納するのに十分なフィールド数を備えているため、１つの通話チャネル決定コマンドに、電話番号および着信日時のデータを容易に含めることができる。なお、格納されるデータとしては、着信日時や電話番号の他に、たとえば相手先の名前や会社名あるいは外線着信に関する他の情報等でもよい。
【００４８】
上記通話チャネル決定コマンドを受信した子機２は、通話チャネルが決定された旨を認識するとともに、追加コマンドフィールド「ＡＤＣ」および追加データフィールド「ＡＤＩ」の内容を解析することにより、ナンバーディスプレイ用の相手先の電話番号データを抽出し、それらを一旦ＲＡＭ３１に記憶させる。また、追加ブロックデータフィールド「ＤＡＴＡ」の内容を解析することにより、着信日時データを抽出し、それを一旦ＲＡＭ３１に記憶させる。
【００４９】
そして、子機２は、表示処理として（Ｓ２）、表示部４２の液晶ディスプレイパネル４２Ａに、相手先の電話番号および着信日時をＲＡＭ３１から読み出して、それらを表示する。これにより、ユーザは、子機２において、相手先の電話番号や着信日時等を容易に確認することができる。
【００５０】
一方、親機１は、通話チャネル決定コマンドを送った後、外線着信中処理として（Ｔ３）、ベル鳴動の指示コマンドを子機２に対して送る。これにより、子機２では、ベル鳴動処理として（Ｓ３）、外線着信した旨のベル音（呼出音）をスピーカ４３Ａを通じて鳴動させる。
【００５１】
このように、親機１は、相手先からの発信元情報、たとえば相手先の電話番号を一括したブロック単位にして子機２に対して送る。そのため、従来のように、相手先の電話番号を複数のコマンドに分散して送っていた方法に比べ、転送時間をより短縮することができる。そのため、親機１において外線着信があった後、子機２において電話番号等を即座に表示させることができる。
【００５２】
また、通話チャネル決定コマンドは、３回送られることによって、各子機２は、いずれかの通話チャネル決定コマンドを受信することができる。すなわち、従来のように、相手先の電話番号を一度だけ子機２に送っていた方法に比べ、たとえば伝送エラーによって子機２において着信日時や電話番号のデータが受信できなくなる可能性を、大幅に低減することができる。
【００５３】
なお、通話チャネル決定コマンドの送出回数は、上記したように３回に限らず、それ以上の回数であってもよい。ただし、送出回数が多くなるほど、時間的なロスも増大するため、適当数、送出されることが望ましい。
【００５４】
また、上記通話チャネル決定コマンドが親機１から各子機２に対して送られるとき、子機２では、親機１に対して送出されるキャリアが時間的に途切れることのないようにそれを継続的に送出するようにそれぞれ制御されてもよい。
【００５５】
すなわち、この電話機の使用されている場所がマンション等の集合住宅の場合、隣の家にある他の親機が外線着信し、その他の親機が管理する子機に対して、通話チャネル指定コマンドが送出されることがある。ところが、子機２が、そのコマンドを上記キャリアが送出されない時間帯に誤って受信してしまうことがあり、本来通信すべき親機と子機とのコマンドのやり取りが適切にできなくなる。
【００５６】
そこで、親機１から各子機２に対して通話チャネル決定コマンドが送られるとき、キャリアが時間的に途切れることのないようにそれを送出するようにすれば、各子機２同士でキャリアが送出されない時間帯をなくすことができ、各子機２を管理する親機１以外の他の親機からコマンドが送出されることがなくなる。したがって、他の親機からのコマンドを受信することを防止することができる。
【００５７】
図６ないし図８は、親機１および子機２の動作タイミングチャートを示す図である。
【００５８】
まず、親機１は、外線２８を介して着信があると、その着信信号を受信するとともに、各子機２と共有して用いられる通話チャネルを設定する受信制御処理を行う。次いで、親機１は、図６および図７のＡに示すように、複数の通話チャネル指定コマンドを各子機２に所定のタイミングで送出する。
【００５９】
各子機２は、図６および図７のＢに示すように、通話チャネル指定コマンドに対する応答として通話チャネル了解コマンドを送り返す。具体的には、無線通信部４３に設けられた図示しない送信アンプをオンしてキャリアを送出するとともに、通話チャネル了解コマンドを親機１に対して送出する。通話チャネル了解コマンドを送出した後は、キャリアを出し続けるために、所定時間待機し、その後、送信アンプをオフにしてキャリアの送出を終える。なお、図中、太枠線で囲んだ範囲は、子機２によってキャリアが送出されたことを示す。
【００６０】
親機１は、複数の子機２の全てから通話チャネル了解コマンドが返信されるまで通話チャネル指定コマンドを断続的に送り続ける。親機１は、複数の子機２の全てから通話チャネル了解コマンドが返信された場合、図７および図８のＣに示すように、通話チャネルを決定するための通話チャネル決定コマンドを各子機２に対して送出する。ここでは、この通話チャネル決定コマンドに、外線２８を介して着信された相手先の電話番号のデータや着信日時のデータが含まれている。
【００６１】
親機１は、通話チャネル決定コマンドを連続して３回、各子機２に対して送出する。その後、送信アンプをオフにして、キャリアの送出を終える（図８のＤ参照）。
【００６２】
子機２のうちで最後に通話チャネル了解コマンドを返信した子機２は、通話チャネル了解コマンドを送出した後は、所定時間、送信アンプをオンし続ける。その後、親機１から通話チャネル決定コマンドが送出されている場合、キャリアの送出を継続するために、再び、送信アンプをオンし続ける。そして、親機１が３回目の通話チャネル決定コマンドを送出し終えるともに、送信アンプをオフにし、キャリアの送出を終える（図８のＥ参照）。
【００６３】
一方、通話チャネル了解コマンドを返信した後、送信アンプをオフしていた、その他の子機２は、たとえば親機１からの１回目の通話チャネル決定コマンドを受信したとき、送信アンプをそれぞれオンにする。そして、親機１からの３回目の通話チャネル決定コマンドが送出し終えるまで、送信アンプをオンし続けて、キャリアを送出し続け、親機１が通話チャネル決定コマンドを送出し終えるとともに、送信アンプをオフにし、キャリアの送出を終える（図８のＦ参照）。
【００６４】
このように、各子機２は、親機１が通話チャネル決定コマンドを送出している間、送信アンプをオンにし続けるので、各子機２においてキャリアが途切れることはない。そのため、各子機２においては、親機１に対して出力するキャリアが時間的に途切れることのないようにそれを継続的に送出することができる。したがって、他の親機から通話チャネル指定コマンド等が送出されることはない。また、通話チャネル決定コマンドに相手先の電話番号のデータが含まれることにより、コマンド長が比較的長くなることによって、子機２では、他の親機からの他のコマンドを受信する可能性が高くなるが、上記したようにキャリアを時間的に途切れることのないように送出するので、その可能性をなくすることができる。
【００６５】
その後、親機１は、図８に示すように、送信アンプをオフすると、通話制御処理として、制御チャネルを決定した通話チャネルに切換える。そして、送信アンプをオンにして、ベル鳴動指令コマンドを各子機２に対して送出する。
【００６６】
一方、各子機２は、図８に示すように、送信アンプをオフすると、通話制御処理として、制御チャネルを決定した通話チャネルに切換える。そして、親機１からのベル鳴動指令コマンドを受信すると、スピーカ４３Ａからベル音（呼出音）を出力する。
【００６７】
また、親機１から子機２に対して送られる、相手先の電話番号および着信日時等は、上記のように、通話チャネルの決定コマンドに含まれることに代えて、電話番号のデータあるいは着信日時のデータを送出することを主目的としたブロック通知コマンドが別途作成されて、それが子機２に対して送出されるようにしてもよい。
【００６８】
図９は、このブロック通知コマンドのフレームフォーマットの一例を示す図である。図５のフォーマットと異なる点は、追加コマンドフィールド「ＡＤＣ」および追加データフィールド「ＡＤＩ」に代えて、ブロックデータフィールド「ＤＡＴＡ」が設けられている点にある。このブロックデータフィールド「ＤＡＴＡ」に、相手先の電話番号のデータあるいは着信日時のデータが格納される。親機１は、通知チャネル決定コマンドとは別に、相手先の電話番号または着信日時を一括したブロック単位にし、これをブロック通知コマンドに格納し、このブロック通知コマンドを複数回（たとえば３回）にわたって子機２に対して送るようにする。
【００６９】
これによっても、従来のように、相手先の電話番号を複数のコマンドに分散して送っていた方法に比べ、転送時間をより短縮することができる。また、ブロック通知コマンドを複数回にわたって送るため、たとえば伝送エラーによって子機２において着信日時や電話番号のデータが受信できなくなる可能性を、大幅に低減することができる。
【００７０】
また、本発明は、上記実施形態に限定されるものではない。たとえば、親機１および子機２の内部構成や子機２の台数等は、図１に示した構成に限るものではない。また、上記実施形態では、電話装置は、外線２８に接続されて適用されたが、これに代えて、ＩＰ電話等が適用されてもよい。
【００７１】
【発明の効果】
以上説明したように、請求項１に記載した発明の電話装置によれば、親機は、相手先からの発信元情報、たとえば相手先の電話番号を一括したブロック単位にし、かつ複数回にわたって子機に送る。そのため、従来のように、相手先の電話番号を複数のコマンド信号に分散させて送っていた方法に比べ、転送時間をより短縮することができ、たとえば子機の表示部に相手先の電話番号を即座に表示させることができる。また、電話番号を含むコマンド信号は子機と共有して用いられるチャネルを決定するための決定信号に一括したブロック単位として付加して複数回にわたって送られるので、たとえば伝送エラーによって子機において着信日時や電話番号のデータが受信できなくなる可能性を、大幅に低減することができる。また、相手先からの発信元情報のみを送るためのコマンド信号を新たに設けなくてもよく、相手先からの発信元情報を効率的に子機に送ることができる。
【００７２】
【００７３】
さらに、請求項２に記載した発明の電話装置によれば、請求項１に記載の電話装置による効果に加え、各子機は、親機から発信元情報が転送されるとき、親機に対して出力するキャリアが時間的に途切れることのないようにそれを継続的に送出するので、キャリアが送出されない時間帯をなくすことができる。そのため、親機から発信元情報が転送されるときに他の親機からコマンド信号が送出されることがなく、各子機は、それを誤って受信することはない。したがって、他の親機からの妨害を防止することができる。
【００７４】
さらに、請求項３に記載した発明の電話装置によれば、請求項２に記載の電話装置による効果に加え、子機は、相手先からの発信元情報を含んだ決定信号（たとえば通話チャネル決定コマンド）を受信するときに、時間的に途切れることのないようにキャリアが所定時間送出されるので、正規の親機からの通話チャネル決定コマンドを確実に受信することができる。この場合、上記所定時間は、たとえば親機が決定信号を送り終えるまでの時間に設定しておけばよい。
【００７５】
さらに、請求項４に記載した発明の電話装置によれば、請求項２または３に記載の電話装置による効果に加え、ユーザは、子機において相手先からの発信元情報を確実に知ることができる。
【００７６】
さらに、請求項５に記載した発明の電話装置によれば、請求項１ないし４のいずれかに記載の電話装置による効果に加え、相手先からの発信元情報には、相手先の電話番号が含まれるので、いわゆるナンバーディスプレイ機能を実現することができる。
【図面の簡単な説明】
【図１】  本発明に係る電話装置の概略ブロック構成図である。
【図２】  親機のパネル面を示す図である。
【図３】  子機の外観図である。
【図４】  親機と子機とのコマンドのやり取りを示すフローシーケンス図である。
【図５】  コマンドのフレームフォーマットの一例を示す図である。
【図６】  親機および子機の動作タイミングチャートを示す図である。
【図７】  親機および子機の動作タイミングチャートを示す図である。
【図８】  親機および子機の動作タイミングチャートを示す図である。
【図９】  コマンドのフレームフォーマットの一例を示す図である。
【図１０】  従来の親機と子機とのコマンドのやり取りを示すフローシーケンス図である。
【図１１】  コマンドのフレームフォーマットの一例を示す図である。
【符号の説明】
１    ファクシミリ装置（親機）
２    子機
１０    ＣＰＵ（親機の）
２５    無線通信部
２８    公衆電話回線（外線）
３０    ＣＰＵ（子機の）
４２    表示部（子機の）
４３    無線通信部（子機の）
【図１】
0003705258.tif 000002
【図２】
0003705258.tif 000003
【図３】
0003705258.tif 000004
【図４】
0003705258.tif 000005
【図５】
0003705258.tif 000006
【図６】
0003705258.tif 000007
【図７】
0003705258.tif 000008
【図８】
0003705258.tif 000009
【図９】
0003705258.tif 000010
【図１０】
0003705258.tif 000011
【図１１】
0003705258.tif 000012